(57)【要約】  【課題】  他の装置間のデータ通信に影響を与えることなく、パケット回線内またはＬＡＮ回線内に接続されるパケットテレビ電話装置に、通話録画や留守録画等のデータ蓄積機能を提供する。  【解決手段】  パケット回線内またはＬＡＮ回線内に挿入し映像データまたは音声データを蓄積する装置であって、回線を流れるパケットデータの送信先アドレスと該パケットデータのデータ種別を監視するパケットデータ監視手段と、回線を流れるパケットデータが予め指定されたアドレスのコンテンツデータであった場合、パケットデータを取り込み蓄積するパケットデータ蓄積手段を具備すると共に、パケットデータの送信先の端末からの指示、またはパケットデータの送信先と関連付けられた端末からの指示により、蓄積したパケットデータの転送またはパケットデータ蓄積の起動または解除を行うことを特徴とする。【選択図】図１
2007081507.tif 000002
【特許請求の範囲】
【請求項１】
パケット回線内またはＬＡＮ回線内に挿入し映像データまたは音声データを蓄積する装置であって、前記回線を流れるパケットデータの送信先アドレスと該パケットデータのデータ種別を監視するパケットデータ監視手段と、前記回線を流れるパケットデータが予め指定されたアドレスのコンテンツデータであった場合、前記パケットデータを取り込み蓄積するパケットデータ蓄積手段を具備すると共に、前記パケットデータの送信先の端末からの指示、または前記パケットデータの送信先と関連付けられた端末からの指示により、蓄積した前記パケットデータの転送または前記パケットデータ蓄積の起動または解除を行うことを特徴とする映像または音声パケットデータ蓄積装置。
【請求項２】
請求項１記載において、蓄積した前記パケットデータをアナログデータに変換して出力する映像、音声変換出力手段を具備したことを特徴とする映像または音声パケットデータ蓄積装置。
【発明の詳細な説明】
【技術分野】
【０００１】
本発明は、映像または音声パケットデータ蓄積装置に関する。
【背景技術】
【０００２】
従来より、画像データ蓄積機能を有するテレビ電話装置として、フラッシュメモリポートおよびフラッシュメモリカードを搭載する装置がある（例えば、特許文献１参照）。
【０００３】
【特許文献１】特開平１０−２００８７０号公報
【発明の開示】
【発明が解決しようとする課題】
【０００４】
しかしながら、この種の装置では画像蓄積メモリの容量が少なく、蓄積可能なデータが静止画像に限られていたり、動画の場合でも蓄積可能時間が極めて短時間であるという課題があった。また、テレビ電話装置個々に録画機能を具備することは、メモリの使用効率、経済性の点で不利であった。
【０００５】
本発明の目的は、他の装置間のデータ通信に影響を与えることなく、パケット回線内またはＬＡＮ回線内に接続されるパケットテレビ電話装置に、通話録画や留守録画等のデータ蓄積機能を提供する、映像または音声パケットデータ蓄積装置を提供することにある。
【課題を解決するための手段】
【０００６】
本発明は、パケット回線内またはＬＡＮ回線内に挿入し映像データまたは音声データを蓄積する装置であって、前記回線を流れるパケットデータの送信先アドレスと該パケットデータのデータ種別を監視するパケットデータ監視手段と、前記回線を流れるパケットデータが予め指定されたアドレスのコンテンツデータであった場合、前記パケットデータを取り込み蓄積するパケットデータ蓄積手段を具備すると共に、前記パケットデータの送信先の端末からの指示、または前記パケットデータの送信先と関連付けられた端末からの指示により、蓄積した前記パケットデータの転送または前記パケットデータ蓄積の起動または解除を行うことを特徴とする。
【０００７】
本発明は、上記記載において、蓄積した前記パケットデータをアナログデータに変換して出力する映像、音声変換出力手段を具備したことを特徴とする。
【発明の効果】
【０００８】
本発明によれば、他の装置間のデータ通信に影響を与えることなく、パケット回線内またはＬＡＮ回線内に接続されるパケットテレビ電話装置に、通話録画や留守録画等の映像データまたは音声データの蓄積機能を提供する、映像または音声パケットデータ蓄積装置を得ることができる。
【０００９】
所定の装置間で授受される映像データまたは音声データを、前記装置に影響を与えることなくコピー蓄積するものであり、一般的なサーバとは異なる。
【００１０】
また本発明によれば、パケットテレビ電話装置自体に映像データまたは音声データの蓄積機能は不要であり、端末の価格上昇、大型化はない。パケットテレビ電話装置は基本的には汎用端末でよく、柔軟なシステム構築が可能である。
【００１１】
また本発明によれば、映像、音声再生出力機能を内蔵することにより、蓄積した映像・音声データを外部のテレビなどに出力することも可能である。この場合、本装置は録画機能だけでなく、一般の電話機をテレビ電話化するアダプタとしても利用可能である。
【００１２】
また本発明によれば、映像データの受信表示が可能な携帯電話機などからも本装置に接続することも可能であり、蓄積した映像・音声データを出先から再生することもできる。
【００１３】
さらに本発明によれば、パケット回線内またはＬＡＮ回線内にあるパケットテレビ電話装置が留守自動応答機能により着信応答した場合、前記パケットテレビ電話装置と本装置が連携し、本装置により映像・音声データの留守録画も可能である。なお、この場合でも本装置は、所定のパケットデータをコピー蓄積するだけなので、ＳＩＰ等端末間プロトコルを必要とせず、微妙なプロトコル不一致によるエラー発生の恐れがない。
【発明を実施するための最良の形態】
【００１４】
本発明による映像または音声パケットデータ蓄積装置（以下本装置という）は、パケットテレビ電話装置による通信において、パケット回線内またはＬＡＮ回線内に挿入し、パケット回線内またはＬＡＮ回線内を流れるパケットを解析し、予め設定された装置による映像または音声通信であれば、この通信データを取得し、ＨＤＤやフラッシュメモリなど大容量の蓄積部に蓄積する。
【００１５】
図１は、本発明装置を適用した、パケットテレビ電話装置において通話録画や留守録画を可能とする全体システムの構成例を示す図である。
【００１６】
図１において、１０１は映像または音声パケットデータ蓄積装置（本装置）、１０２は必要に応じて本装置１０１に接続するテレビである。
【００１７】
本装置１０１は、パケットテレビ電話装置１（１０５−１），…，パケットテレビ電話装置Ｎ（１０５−Ｎ）で構成されたパケット回線内またはＬＡＮ回線内に接続して挿入する。
【００１８】
本装置１０１は、パケットテレビ電話装置１（１０５−１），…，パケットテレビ電話装置Ｎ（１０５−Ｎ）の共用型とする。
【００１９】
本装置１０１をパケット回線内またはＬＡＮ回線内に挿入することにより、パケットテレビ電話装置１（１０５−１）からパケットテレビ電話装置Ｎ（１０５−Ｎ）が送受信する映像・音声データ（ＲＴＰデータ）を蓄積する。
【００２０】
ここで、ＲＴＰとは、Real-time Transport Protocolの略で、音声や映像をストリーミング再生するための伝送プロトコルをいう。
【００２１】
本装置への通話録画開始等の指示は、通信中のパケットテレビ電話装置１〜Ｎ（１０５−１〜１０５−Ｎ）やリモコン等で指示する。
【００２２】
ＩＰ網１０４はゲートウェイ１０６を介して携帯電話網１０７と接続可能であり、携帯電話機１０８から通話録画指示や、蓄積済みの映像・音声データのモニタ等も可能である。
【００２３】
図２は、本装置１０１の第１の実施の形態の構成図である。図２において、本装置１０１は、ＬＡＮインタフェース２０１，データ送受信部２０２，パケット解析処理部２０３，制御信号処理部２０４，蓄積部２０５，再生パケット選択処理部２０６，ＲＴＰパケット処理部２０７，主制御部２０８で構成される。
【００２４】
ＬＡＮインタフェース２０１は、パケット回線内またはＬＡＮ回線内のＨｕｂに接続するために用いる。
【００２５】
データ送受信部２０２は、本装置１０１が挿入されたＬＡＮ回線内を流れるＲＴＰパケットデータをモニタ（傍受）する機能と、本装置１０１宛ての制御コマンドを有するパケットデータを受信する機能と、蓄積したＲＴＰデータを所定の装置へ送信する機能を有する。
【００２６】
パケット解析処理部２０３は、データ送受信部２０２で受信したパケットデータが、予め設定されたパケットテレビ電話装置の送受信するＲＴＰパケットであるかどうか、制御用のパケットであるかどうかを判断する機能を有する。
【００２７】
制御信号処理部２０４は、パケット解析処理部２０３が、本装置１０１の制御用のパケットデータ（本装置専用のコマンド等）を抽出したときに、この制御信号に従って本装置１０１を制御する。
【００２８】
蓄積部２０５は、パケット解析処理部２０３で目的のＲＴＰパケットであると判断したものを蓄積するための機能を有し、エンドレス録画を可能にする一次蓄積２０５ａとオーバーライト禁止の二次蓄積２０５ｂを有する。
【００２９】
パケットテレビ電話装置による通信は，常時一定容量の一次蓄積２０５ａに蓄積され、常に古いデータを新しいデータで上書きしている。
【００３０】
制御信号処理部２０４より通話録画開始の指示があると、本装置１０１は一次蓄積２０５ａに蓄積されているデータを含めて、二次蓄積２０５ｂに蓄積する。これにより、通話録画開始の指示があった直前の会話、映像を含めて蓄積可能となる。
【００３１】
蓄積部２０５は、ＨＤＤのように内蔵のもの、またはフラッシュメモリカードのように外付けできるもので、蓄積できる媒体であるならば何でもよい。
【００３２】
再生パケット選択処理部２０６は、パケットテレビ電話装置または動画像受信可能な携帯電話機からの操作により、送信要求があった動画像を選択するための機能を有する。
【００３３】
ＲＴＰパケット処理部２０７は、要求された装置へ映像・音声データの送信を可能にするための処理として、蓄積したＲＴＰパケットのヘッダ部分を変更する処理を行う機能を有する。
【００３４】
主制御部２０８は、本装置１０１全体を制御する機能を有する。
【００３５】
なお、本装置１０１に蓄積映像の表示機能等は不要であり、セットトップボックス型であっても良い。
【００３６】
一般的なパケットテレビ電話装置による通信であるならば、本装置１０１はこのパケットテレビ電話装置が送受信する映像・音声データを蓄積することができ、このデータは本装置１０１で再生ができ、本装置１０１の送信先の装置で見ることができるので、汎用性がある。
【００３７】
図３は、図２におけるパケット解析処理部２０３の具体的なフローチャート例を示す図である。
【００３８】
データ送受信部２０２に受信したパケットについて、ＲＴＰのパケットであるかを判断し（Ｓ３０１）、ＲＴＰのパケットである場合は、予め設定された装置による通信のパケットであるかを判断する（Ｓ３０２）。予め設定された装置による通信のパケットである場合は、蓄積部２０５に映像・音声データを送信する（Ｓ３０３）。
【００３９】
ここで、予め設定された装置による通信のパケットとは、動画像を蓄積したいターゲットの装置が行う送受信するパケットのことである。
【００４０】
自動設定、手動設定の両方とも、パケットテレビ電話装置による通信が始まり、ＲＴＰパケットによるデータ送受信が始まったとき、本装置１０１の蓄積部２０５にＲＴＰパケットを送信する（一次蓄積２０５ａに蓄積する）。
【００４１】
自動設定と手動設定の違いは、蓄積する方法が異なるだけであり、自動設定の場合は、ＲＴＰパケットによるデータ送受信が始まったときから一次蓄積２０５ａに蓄積し、随時二次蓄積２０５ｂに蓄積する。
【００４２】
手動設定の場合は、パケットテレビ電話装置から通話録画開始要求が無いときは一次蓄積２０５ａに蓄積し、要求があった時に通話開始直後からのデータを一時蓄積２０５ａから二次蓄積２０５ｂに蓄積し、そのあとのデータは一次蓄積２０５ａに蓄積し、随時二次蓄積２０５ｂに蓄積する。
【００４３】
Ｓ３０１で、ＲＴＰのパケットではない場合は、制御信号のパケットであるかを判断し（Ｓ３０４）、制御信号のパケットである場合、制御信号処理部２０４にデータを送信する。
【００４４】
ここで、制御信号のパケットとは、コマンドやＳＩＰ、Ｈ.３２３や他の装置と通信を行うためのパケットである。
【００４５】
図４は、図２における再生パケット選択処理部２０６の具体的なフローチャート例を示す図である。
【００４６】
本装置１０１に接続しているパケットテレビ電話装置や動画像受信可能な携帯電話機からの制御信号を解析し（Ｓ４０１）、一覧情報の要求があった場合、動画像蓄積数が動画像解析数以上であるかを判断する（Ｓ４０２）。
【００４７】
動画像解析数以上である場合、アクセス権がＯＫであるかを判断する（Ｓ４０３）。アクセス権については、動画像の閲覧や転送のときはユーザ名・パスワード及び通話が蓄積された装置の特定情報、選択されたものが適切により決定する。
【００４８】
アクセス権がＯＫである場合、動画像一覧情報として追加し（Ｓ４０４）、Ｓ４０２に戻り、Ｓ４０２で動画像蓄積数が動画像解析数より下になった場合に、一覧情報を送信する（Ｓ４０５）。
【００４９】
Ｓ４０１において、制御信号が送信・転送の要求であった場合は、アクセス権がＯＫであるかを判断し（Ｓ４０６）、アクセス権がＯＫである場合、動画像を送信する（Ｓ４０７）。
【００５０】
次に、具体的な動作シーケンス例を説明する。
【００５１】
図５Ａ，図５Ｂ，図５Ｃは、図１における本発明装置を含む全体システムが、通話録画の場合の動作シーケンス例である。
【００５２】
本装置１０１が挿入されたＬＡＮ回線内のパケットテレビ電話装置１〜Ｎ（１０５−１〜１０５−Ｎ）のいずれかから通話録画を指示され、通話録画終了後、その録画した内容を、通話録画を指示した装置に転送する例である。
【００５３】
本装置１０１は、ＬＡＮ回線内のパケットを監視する処理として、図３に示すパケット解析処理（Ｓ５０１）を常に行っている。
【００５４】
パケットテレビ電話装置１〜Ｎ（１０５−１〜１０５−Ｎ）のいずれかを着信側装置とし、着信側装置以外のパケットテレビ電話装置１０３を発信側装置とし、着信側装置が転送を指定する相手を転送先装置とする。
【００５５】
発信側装置が発信要求を行い（Ｓ５０２）、接続要求を着信側装置に送信し（Ｓ５０３）、着信側装置が「相手装置が映像・音声データの送受信可能かの解析、応答処理」を行い（Ｓ５０４）、接続を発信側装置に送信し（Ｓ５０５）、通信中となる（Ｓ５０６）。このシーケンスは、一般的なパケットテレビ電話装置のシーケンスと同じである。
【００５６】
通話録画で且つ手動設定による蓄積の場合、着信側装置はダイヤルボタン入力（手動操作）により通話録画開始要求を行い（Ｓ５０７）、その制御信号を本装置１０１に送信する（Ｓ５０８）。
【００５７】
本装置１０１は「制御信号受信、制御信号解析処理」を行い（Ｓ５０９）、通話録画開始し（Ｓ５１０）、本装置１０１の蓄積部２０５の二次蓄積２０５ｂに、発信側装置と着信側装置で送受信し合うＲＴＰパケットが蓄積される。この時、通話開始直後からのＲＴＰパケット（一時蓄積に保存されている）も二次蓄積２０５ｂに蓄積され、すべての通話が二次蓄積２０５ｂに蓄積される。
【００５８】
または、自動設定による蓄積の場合は、パケットテレビ電話装置による通信が始まり、ＲＴＰパケットによるデータ送受信が始まったとき、本装置１０１の蓄積部２０５にＲＴＰパケットが蓄積される。この時、一時蓄積２０５ａに蓄積ししつつ、最終的には二次蓄積２０５ｂに蓄積される。
【００５９】
自動設定による蓄積の場合は、着信側装置の通話録画開始要求Ｓ５０７から「制御信号受信、制御信号解析処理」（Ｓ５０９）までのシーケンスはいらない。
【００６０】
なお、手動設定、自動設定によるＲＴＰパケットの蓄積方法は、予め本装置１０１に設定されていなければならない。
【００６１】
通話録画開始で（Ｓ５１０）、本装置１０１は通話録画開始ＯＫを着信側装置に送信し（Ｓ５１１）、着信側装置は通話録画開始ＯＫを受信する（Ｓ５１２）。
【００６２】
発信側装置が切断処理を行い（Ｓ５１３）、切断要求を着信側装置に送信し（Ｓ５１４）、着信側装置が開放要求を発信側装置に送信する（Ｓ５１５）とともに切断処理を行う（Ｓ５１６）。このシーケンスは、一般的なパケットテレビ電話装置のシーケンスと同じである。
【００６３】
着信側装置の切断により、目的とするＲＴＰパケットが流れなくなることで、本装置１０１は通話終了を確認し（Ｓ５１７）、通話録画終了し（Ｓ５１８）、通話録画終了ＯＫを着信側装置に送信し（Ｓ５１９）、着信側装置は通話録画終了ＯＫを受信する（Ｓ５２０）。
【００６４】
なお、通話録画開始ＯＫの送信（Ｓ５１１）、通話録画開始ＯＫの受信（Ｓ５１２）、通話録画終了ＯＫの送信（Ｓ５１９）、通話録画終了ＯＫの受信（Ｓ５２０）のシーケンスは、本装置１０１と着信側装置が連携することにより、着信側装置のＬＥＤやディスプレイの表示により、本装置１０１が通話録画しているかどうかわかるようになっている。
【００６５】
着信側装置が発信要求を行い（Ｓ５２１）、接続要求を本装置１０１に送信し（Ｓ５２２）、本装置１０１は、着信側装置からの接続要求の着信を受けると、「相手装置映像・音声データ送受信可能解析、応答処理」を行い（Ｓ５２３）、送受信が可能であるならば応答処理として着信側装置に接続を送信し（Ｓ５２４）、通信中となる（Ｓ５２５）。
【００６６】
本装置１０１が、応答情報として、着信側装置に「ユーザ名・パスワード、可能サービスの選択、及び通話が蓄積された装置の特定情報」の要求を、音声または画像などで知らせ（Ｓ５２６）、この情報を元に、相手は着信側装置のダイヤルボタン入力により、「ユーザ名・パスワード、転送要求・転送先情報、及び通話が蓄積された装置の特定情報の通知」処理を行い（Ｓ５２７）、その制御信号を本装置１０１に送信する（Ｓ５２８）。
【００６７】
「ユーザ名・パスワード・通話が蓄積された装置の特定情報」は予め設定されているものとし、「通話が蓄積された装置の特定情報」とは通話を蓄積したいターゲットのことであり、特定できる情報であるならば何でも良く、ＩＰアドレスやユーザ名などである。
【００６８】
本装置１０１は、着信側装置からこれらの制御信号を受信すると、「制御信号受信、制御信号解析処理」を行い（Ｓ５２９）、動画像一覧情報を、着信側装置に音声または画像などで知らせる（Ｓ５３０）。
【００６９】
相手は着信側装置のダイヤルボタンで転送したい動画像の選択通知の処理を行い（Ｓ５３１）、その制御信号を本装置１０１に送信し（Ｓ５３２）、本装置１０１は「制御信号受信、制御信号解析処理」を行い（Ｓ５３３）、接続要求を転送先装置に送信し（Ｓ５３４）、転送先装置が応答処理を行い（Ｓ５３５）、接続を本装置１０１に送信する（Ｓ５３６）ことで、通信中（転送）となる（Ｓ５３７）。
【００７０】
転送先装置の相手が通話を切るなどの切断処理を行い（Ｓ５３８）、切断要求を本装置１０１に送信する（Ｓ５３９）。
【００７１】
すると本装置１０１は転送先装置に開放要求を送信する（Ｓ５４０）とともに、切断処理を行い（Ｓ５４１）、切断要求を着信側装置に送信し（Ｓ５４２）、着信側装置は開放要求を本装置１０１に送信する（Ｓ５４３）とともに、切断処理を行う（Ｓ５４４）。このことで、本装置１０１は着信側装置と通信が終わる。
【００７２】
もちろん転送だけでなく、着信側装置が本装置の動画像を再生することもできる。
【００７３】
なお、本装置と着信側装置との通信はコマンドやＳＩＰ、Ｈ.３２３などを用いる。
【００７４】
図６は、図１における本発明装置を含む全体システムが、留守録画の場合の動作シーケンス例である。
【００７５】
本装置１０１が挿入されたＬＡＮ回線内のパケットテレビ電話装置１〜Ｎ（１０５−１〜１０５−Ｎ）のいずれかから留守録画設定を指示されており、パケットテレビ電話装置は着信に自動応答して所定のメッセ−ジ（ただ今留守にしております・・・）を発信側装置に送出すると共に、留守録画を促す。
【００７６】
本装置１０１は、ＬＡＮ回線内のパケットを監視する処理として、パケット解析処理（Ｓ６０１）を常に行っている。
【００７７】
発信側装置が発信要求を行い（Ｓ６０２）、接続要求を着信側装置に送信し（Ｓ６０３）、着信側装置が「相手装置が映像・音声データの送受信可能かの解析、応答処理」を行い（Ｓ６０４）、接続を発信側装置に送信し（Ｓ６０５）、通信中となる（Ｓ６０６）。このシーケンスは、一般的なパケットテレビ電話装置のシーケンスと同じである。
【００７８】
Ｓ６０６で通信中となると、着信側装置は着信応答処理として留守であることの応答メッセージの送信処理を行い（Ｓ６０７）、応答メッセージを発信側装置に送信する（Ｓ６０８）。
【００７９】
Ｓ６０６で通信中となると、発信側装置と着信側装置でＲＴＰパケットを送受信し合うので、本装置１０１は留守録画可能であるが、本例ではＳ６０７からＳ６０８まで応答処理に必要な時間経過後に自動的に、留守録画開始を行う（Ｓ６０９）。
【００８０】
本装置１０１は留守録画開始を行うと、留守録画開始ＯＫを着信側装置に送信し（Ｓ６１０）、着信側装置は留守録画開始ＯＫを受信する（Ｓ６１１）。一方、発信側装置は伝言を着信側装置に送信する（Ｓ６１２）。
【００８１】
発信側装置が切断処理を行い（Ｓ６１３）、切断要求を着信側装置に送信し（Ｓ６１４）、着信側装置が開放要求を発信側装置に送信する（Ｓ６１５）とともに切断処理を行う（Ｓ６１６）。このシーケンスは、一般的なパケットテレビ電話装置のシーケンスと同じである。
【００８２】
着信側装置の切断処理により、目的とするＲＴＰパケットが流れなくなることで、本装置１０１は留守録画終了を確認し（Ｓ６１７）、留守録画終了し（Ｓ６１８）、留守録画終了ＯＫを着信側装置に送信し（Ｓ６１９）、着信側装置は留守録画終了ＯＫを受信する（Ｓ６２０）。
【００８３】
Ｓ６０９で留守録画開始を行うと、本装置１０１はＲＴＰパケットを傍受して蓄積部２０５に取り込む。この時ＲＴＰパケットは本来の宛先である着信側装置に届くが、着信側装置は該ＲＴＰパケットを取り込む必要はない。
【００８４】
応答メッセージ、伝言の通信は発信側装置と着信側装置で行い、着信側装置は、留守録画蓄積機能はなく留守自動応答機能だけを行い、本装置１０１はこの装置間で行われる動画像を、ＳＩＰやＨ.３２３などの端末間プロトコルを必要とすることなく蓄積することができる。
【００８５】
Ｓ６１８で留守録画終了すると、留守録画が実行されたパケットテレビ電話装置には、留守録画状態で、かつ本装置１０１から留守録画開始ＯＫの送信情報、留守録画終了ＯＫの送信情報を受信しているので、留守録画したという履歴（ＬＥＤやディスプレイに表示）が残る。
【００８６】
留守録画された内容は、本来の蓄積ＲＴＰパケットの送信先である着信側装置からの指示により再生する。
【００８７】
図７は、本装置１０１の第２の実施の形態の構成図である。図７において、本装置１０１は、図２の構成に、赤外線受光部７０１，赤外線信号解析処理部７０２，ＭＰＥＧデコーダ部７０３，ＭＰＥＧエンコーダ部７０４，出力部７０５，Ｖｉｄｅｏ出力端子７０６を追加されて構成される。
【００８８】
赤外線受光部７０１は、リモコンにより本装置を制御するために、リモコンの赤外線を受信する機能を有する。
【００８９】
赤外線信号解析処理部７０２は、本装置の制御用の赤外線信号であるかどうかを判断するための機能を有する。
【００９０】
ＭＰＥＧデコーダ部７０３は、蓄積したＲＴＰパケットをテレビなどモニタに表示するためにアナログに変換する機能を有する。
【００９１】
ＭＰＥＧエンコーダ部７０４は、蓄積したＲＴＰパケットを動画像受信可能な携帯電話機に送信するために、解像度を変換する機能を有する。
【００９２】
出力部７０５は、テレビなどモニタに映像・音声を出力するための機能を有する。
【００９３】
Ｖｉｄｅｏ出力端子７０６は、本装置に蓄積した映像・音声データを再生して表示するために、図１のテレビ１０２などモニタに接続する機能を有する。
【００９４】
ただし、本説明では映像符号化として「ＭＰＥＧ」で説明しているが、本発明はＭＰＥＧでなくてもよい。
【００９５】
本装置１０１には赤外線受光部７０１とＶｉｄｅｏ出力端子７０６が付いているので、この機能を使用して、例えば会議のときに通話録画済みデータの再生に使うことができる。
【００９６】
蓄積したＲＴＰパケットをテレビに再生するために、本装置１０１をリモコンで操作することにより、蓄積部２０５に蓄積した映像・音声データをデコードして、本装置１０１のＶｉｄｅｏ端子７０６に接続されているテレビ１０２などモニタに映像と音声を出力することができる。
【００９７】
また、通話録画済みデータや留守録画済みデータの再生だけでなく、パケットテレビ電話装置がまさに現在通話している動画像を取得し、テレビなどモニタに映像と音声を出力したり、蓄積しながら出力するといったこともできる。
【００９８】
図８は、図７における赤外線信号解析処理部７０２の具体的なフローチャート例を示す図である。
【００９９】
図７の赤外線信号受光部７０１に受信した信号について、制御信号のデータであるかを判断し（Ｓ８０１）、制御信号のデータであるならば、制御信号処理部２０４にデータを送信する（Ｓ８０２）。
【０１００】
ここで、制御信号のデータとは、本装置１０１の制御、他の装置と通信を行うためのデータであり、コマンドやＳＩＰ、Ｈ.３２３や他の装置と通信を行うためのデータである。
【０１０１】
図９は、図７において、通話録画したデータまたは留守録画したデータを出先のテレビ付き携帯電話機で閲覧する場合の動作シーケンス例である。
【０１０２】
テレビ付き携帯電話機が発信要求を行い（Ｓ９０１）、接続要求を本装置１０１に送信し（Ｓ９０２）、本装置１０１が「相手装置が映像・音声データの送受信可能かの解析、応答処理」を行い（Ｓ９０３）、接続をテレビ付き携帯電話機に送信し（Ｓ９０４）、通信中となる（Ｓ９０５）。このシーケンスは、一般的なパケットテレビ電話装置のシーケンスと同じである。
【０１０３】
本装置１０１が、応答情報として、テレビ付き携帯電話機に「ユーザ名・パスワード、可能サービスの選択、及び通話が蓄積された装置の特定情報」の要求を、音声または画像などで知らせ（Ｓ９０６）、この情報を元に、相手は着信側装置のダイヤルボタン入力により、「ユーザ名・パスワード、通話録画の閲覧要求、及び通話が蓄積された装置の特定情報の通知」処理を行い（Ｓ９０７）、その制御信号を本装置１０１に送信する（Ｓ９０８）。
【０１０４】
「ユーザ名・パスワード・通話が蓄積された装置の特定情報」は予め設定されているものとする。
【０１０５】
本装置１０１は、テレビ付き携帯電話機からこれらの制御信号を受信すると、「制御信号受信、制御信号解析処理」を行い（Ｓ９０９）、動画像一覧情報をテレビ付き携帯電話機に音声または画像などで知らせる（Ｓ９１０）。
【０１０６】
相手はテレビ付き携帯電話機のダイヤルボタンで、見たい動画像の選択通知の処理を行い（Ｓ９１１）、その制御信号を本装置１０１に送信し（Ｓ９１２）、本装置１０１は「制御信号受信、制御信号解析処理」を行い（Ｓ９１３）、動画像をテレビ付き携帯電話機に送信する（Ｓ９１４）。
【０１０７】
テレビ付き携帯電話機の相手が通話を切るなどの「切断処理」を行い（Ｓ９１５）、切断要求を本装置１０１に送信する（Ｓ９１６）。
【０１０８】
すると本装置１０１は開放要求をテレビ付き携帯電話機に送信する（Ｓ９１７）とともに、切断処理を行う（Ｓ９１８）。
【０１０９】
テレビ付き携帯電話機から本装置１０１に発信することにより、本装置１０１は擬似的にパケットテレビ電話装置（相手の映像を受信する機能は無くても良い）として着信し、蓄積した動画像を送信する。
【０１１０】
本装置１０１は、蓄積した動画像を相手のテレビ付き携帯電話機に送信する時、動画像受信能力により、ＣＩＦからＱＣＩＦに変換してＲＴＰパケットを送信する。
【０１１１】
なお、本装置と相手のテレビ付き携帯電話機との通信はコマンドやＳＩＰ、Ｈ.３２３などを用いる。
【０１１２】
図１０は、本装置１０１の相手先装置との別の実行処理のフローチャート例を示す図である。
【０１１３】
本装置１０１は相手先装置から電話を受けた際相手先装置に接続し（Ｓ１００１）、本装置１０１からユーザ名・パスワード要求情報の送信を行い、この情報に対して本装置１０１に接続の相手先装置からのユーザ名・パスワードを受信し（Ｓ１００２）、ユーザ名・パスワードを解析して判断し（Ｓ１００３）、ユーザ名・パスワードがＯＫの場合に、相手装置はログインすることができる。
【０１１４】
ログイン後、本装置は、相手先装置に、通話録画・留守録画・閲覧・転送のうちのいずれを要求するかの要求情報を音声または映像などで送信する（Ｓ１００４）。
【０１１５】
相手先装置は、本装置１０１からの要求情報に対する要求決定を示す特定コマンドを、ダイヤルボタンにより決定して、本装置１０１に送信する。
【０１１６】
要求決定が通話録画の場合は、ダイヤルボタンにより「０＃設定＃」、すなわち「０」のボタン、次に「＃」のボタン、次に「設定」（０：自動蓄積有効、１：手動蓄積有効、２：蓄積無効のうちのいずれか）のボタン、次に「＃」のボタンを押すことにより、通話録画の特定コマンドを決定する。
【０１１７】
要求決定が留守録画の場合は、ダイヤルボタンにより「１＃設定＃」、すなわち「１」のボタン、次に「＃」のボタン、次に「設定」（０：する、１：しないのうちのいずれか）のボタン、次に「＃」のボタンを押すことにより、留守録画の特定コマンドを決定する。
【０１１８】
要求決定が閲覧の場合は、ダイヤルボタンにより「２＃」、すなわち「２」のボタン、次に「＃」のボタンを押すことにより、閲覧の特定コマンドを決定する。
【０１１９】
要求決定が転送の場合は、ダイヤルボタンにより「３＃転送先装置＃」、すなわち「３」のボタン、次に「＃」のボタン、次に「転送先装置」（ＩＰアドレス番号等）のボタン、次に「＃」のボタンを押すことにより、転送の特定コマンドを決定する。
【０１２０】
本装置１０１は、相手先装置からの特定コマンドを受信し（Ｓ１００５）、要求決定内容を判断する（Ｓ１００６）。
【０１２１】
通話録画の場合は、パケットテレビ電話装置１からＮ（１０５−１から１０５−Ｎ）のどれかから本装置１０１に接続することにより、接続したパケットテレビ電話装置の設定（決定）内容を判断し（Ｓ１００７）、通話録画［自動蓄積有効・手動蓄積有効・蓄積無効のいずれか］に設定することができる。
【０１２２】
留守録画の場合は、パケットテレビ電話装置１からＮ（１０５−１から１０５−Ｎ）のどれかから本装置１０１に接続することにより、接続したパケットテレビ電話装置の設定（決定）内容を判断し（Ｓ１００８）、留守録画［する・しないのいずれか］に設定することができる。
【０１２３】
閲覧の場合は、本装置１０１は装置特定情報を要求し、相手装置から装置特定情報を受信する（Ｓ１００９）。装置特定情報とは通話を蓄積したいターゲットのことであり、特定できる情報であるならば何でも良く、ＩＰアドレスやユーザ名などである。
【０１２４】
そして、本装置１０１はユーザ名・パスワードからアクセス権ＯＫであるか判断し（Ｓ１０１０）、アクセス権ＯＫの場合に一覧情報を送信し、相手装置からの選択通知を受信し（Ｓ１０１１）、選択したものがアクセス権ＯＫであるか判断し（Ｓ１０１２）、アクセス権ＯＫであるならば、動画像を送信する（Ｓ１０１３）。
【０１２５】
転送の場合は、本装置１０１は装置特定情報を要求し、相手装置から装置特定情報を受信する（Ｓ１０１４）。装置特定情報とは通話を蓄積したいターゲットのことであり、特定できる情報であるならば何でも良く、ＩＰアドレスやユーザ名などである。
【０１２６】
そして、本装置１０１はユーザ名・パスワードからアクセス権ＯＫであるか判断し（Ｓ１０１５）、アクセス権ＯＫの場合に一覧情報を送信し、相手装置からの選択通知を受信し（Ｓ１０１６）、選択したものがアクセス権ＯＫであるか判断し（Ｓ１０１７）、アクセス権ＯＫであるならば、動画像を送信する（Ｓ１０１８）。
【０１２７】
上記Ｓ１００３において、ユーザ名・パスワードがＯＫでない場合はエラー情報を送信し（Ｓ１０１９）、上記Ｓ１００７で該当なしの場合はエラー情報を送信し（Ｓ１０２０）、上記Ｓ１００８で該当なしの場合はエラー情報を送信し（Ｓ１０２１）、上記Ｓ１０１０，Ｓ１０１２でアクセス権ＯＫでない場合はエラー情報を送信し（Ｓ１０２２）、上記Ｓ１０１５，Ｓ１０１７でアクセス権ＯＫでない場合はエラー情報を送信し（Ｓ１０２３）、相手先装置と切断する（Ｓ１０２４）。
【０１２８】
なお、相手先装置における、本装置１０１からの要求情報に対する要求決定を示す特定コマンドの決定は、ＷＥＢやＧＵＩによって決定してもよい。
【図面の簡単な説明】
【０１２９】
【図１】本発明装置を適用した、パケットテレビ電話装置において通話録画や留守録画を可能とする全体システムの構成例を示す図である。
【図２】本装置の第１の実施の形態の構成図である。
【図３】図２におけるパケット解析処理部２０３の具体的なフローチャート例を示す図である。
【図４】図２における再生パケット選択処理部２０６の具体的なフローチャート例を示す図である。
【図５Ａ】図１における本発明装置を含む全体システムが、通話録画の場合の動作シーケンス例である。
【図５Ｂ】図１における本発明装置を含む全体システムが、通話録画の場合の動作シーケンス例である。
【図５Ｃ】図１における本発明装置を含む全体システムが、通話録画の場合の動作シーケンス例である。
【図６】図１における本発明装置を含む全体システムが、留守録画の場合の動作シーケンス例である。
【図７】本装置の第２の実施の形態の構成図である。
【図８】図７における赤外線信号解析処理部７０２の具体的なフローチャート例を示す図である。
【図９】図７において、通話録画したデータまたは留守録画したデータを出先のテレビ付き携帯電話機で閲覧する場合の動作シーケンス例である。
【図１０】本装置の相手先装置との別の実行処理のフローチャート例を示す図である。
【符号の説明】
【０１３０】
１０１：映像または音声パケットデータ蓄積装置（本装置）、１０２：テレビ、１０３：パケットテレビ電話装置、１０４：ＩＰ網、１０５−１，…，１０５−Ｎ：パケットテレビ電話装置、１０６：ゲートウェイ、１０７：携帯電話網、１０８：携帯電話機、２０１：ＬＡＮインタフェース、２０２：データ送受信部、２０３：パケット解析処理部、２０４：制御信号処理部、２０５：蓄積部、２０５ａ：一次蓄積、２０５ｂ：二次蓄積、２０６：再生パケット選択処理部、２０７：ＲＴＰパケット処理部、２０８：主制御部、７０１：赤外線受光部、７０２：赤外線信号解析処理部、７０３：ＭＰＥＧデコーダ部、７０４：ＭＰＥＧエンコーダ部、７０５：出力部、７０６：Ｖｉｄｅｏ出力端子。
【図１】
2007081507.tif 000003
【図２】
2007081507.tif 000004
【図３】
2007081507.tif 000005
【図４】
2007081507.tif 000006
【図５Ａ】
2007081507.tif 000007
【図５Ｂ】
2007081507.tif 000008
【図５Ｃ】
2007081507.tif 000009
【図６】
2007081507.tif 000010
【図７】
2007081507.tif 000011
【図８】
2007081507.tif 000012
【図９】
2007081507.tif 000013
【図１０】
2007081507.tif 000014